(57)【要約】【課題】被写体の撮影と無線タグ情報の取得を簡便に実現可能とする。【解決手段】無線タグ情報登録撮影モードが選択された場合、撮影ボタン（シャッタボタン）が半押しされたことを検知すると、無線タグディテクタ１０５が無線タグを励起する電波を発する。その後、無線タグからの応答があるかどうかを判断し、無線タグからの応答があり、更に無線タグＩＤを一意に決定できた場合、撮影ＯＫのステータスが表示等される。そして、撮影ボタンが半押し状態から押し切られると、撮像処理を行い、無線タグ情報と撮影した画像情報を対とするような情報形態として記憶する。【選択図】      図３
2004253915.tif 000002
【特許請求の範囲】
【請求項１】
被写体に装着された、所定の情報を記憶するとともに上記所定の情報を無線情報として送信する情報送信手段からの無線情報を取得する情報取得手段を備え、
上記被写体の撮影と上記情報取得手段による無線情報の取得の両方を、共通の操作部の操作に基づき行うことを特徴とする撮影装置。
【請求項２】
被写体に装着された、所定の情報を記憶するとともに前記所定の情報を無線情報として送信する情報送信手段からの無線情報を取得する情報取得手段を備え、
上記被写体の撮影により得られる画像情報と上記情報取得手段による無線情報の両方を共通の操作部材の操作に基づき取得し、画像情報と無線情報とを対にして記憶することを特徴とする撮影装置。
【請求項３】
被写体を撮影する撮影手段を備え、
上記被写体の撮影と、上記被写体に装着された、所定の情報を記憶するとともに前記所定の情報を無線情報として送信する情報送信手段からの無線情報の取得の両方を、共通の操作部の操作に基づき行うことを特徴とする撮影装置。
【請求項４】
被写体を撮影する撮影手段を備え、
上記被写体の撮影により得られる画像情報と、上記被写体に装着された、所定の情報を記憶するとともに前記所定の情報を無線情報として送信する情報送信手段からの無線情報の両方を共通の操作部材の操作に基づき取得し、画像情報と無線情報とを対にして記憶することを特徴とする撮影装置。
【請求項５】
被写体に装着された、所定の情報を記憶するとともに前記所定の情報を無線情報として送信する情報送信手段からの無線情報の取得と、前記被写体の撮影との両方を共通の操作部材の操作に基づき行う取得手段を有することを特徴とする撮影装置。
【請求項６】
上記被写体の撮影と、上記被写体に装着された、所定の情報を記憶するとともに前記所定の情報を無線情報として送信する情報送信手段からの無線情報の取得の両方を、共通の操作部によって操作タイミングの動作で行うことを特徴とする請求項１又は３に記載の撮影装置。
【請求項７】
無線情報登録撮影モードと通常撮影モードとが選択可能であり、
上記無線情報登録撮影モード時に、請求項１〜６のいずれか１項に記載の動作を行うことを特徴とする撮影装置。
【請求項８】
上記情報送信手段から無線情報を取得するための通信の開始を上記被写体の撮影と無線情報の取得を行う撮像処理前の時間で行い、その通信が成功した場合に撮像処理に移行することを特徴とする請求項１又は２に記載の撮影装置。
【請求項９】
上記撮像処理前の時間とは撮影指示操作後であることを特徴とする請求項８に記載の撮影装置。
【請求項１０】
上記撮影指示操作はシャッタボタンの半押しであることを特徴とする請求項９に記載の撮影装置。
【請求項１１】
シャッタボタンの半押しで無線情報を取得するための通信が開始され、その通信が成功した場合、シャッタボタンが押し切られたときに上記撮像処理に移行することを特徴とする請求項１０に記載の撮影装置。
【請求項１２】
上記撮影指示操作はシャッタボタンの全押しであることを特徴とする請求項９に記載の撮影装置。
【請求項１３】
シャッタボタンの全押しで無線タグ情報を取得するための通信が開始され、その通信が成功した場合、直ちに上記撮像処理に移行することを特徴とする請求項１２に記載の撮影装置。
【請求項１４】
上記撮像処理前の時間とは上記無線情報登録撮影モードの選択後で撮影指示操作前であることを特徴とする請求項８に記載の撮影装置。
【請求項１５】
上記情報送信手段から無線情報を取得するための通信の開始は、上記情報送信手段に励起電波を送出することにより行われることを特徴とする請求項８に記載の撮影装置。
【請求項１６】
上記情報送信手段は内蔵電源を持ち、指示を受けたならば一定時間以内及び／又は一定回数の通信が可能である場合、上記情報送信手段から無線情報を取得するための通信の開始は、上記情報送信手段に指示を与えることで行われることを特徴とする請求項８に記載の撮影装置。
【請求項１７】
上記情報送信手段から無線情報を取得するための通信が失敗した場合に、上記撮像処理に移行せず、警告或いはアドバイスを行う手段を備えたことを特徴とする請求項８に記載の撮影装置。
【請求項１８】
上記情報送信手段から無線情報を取得するための通信が成功した場合、上記撮像処理に移行する前に、無線情報が一意に特定可能か否かを判断する判断手段を備えたことを特徴とする請求項８に記載の撮影装置。
【請求項１９】
上記一意に特定可能とは、唯一の無線情報が取得された場合であることを特徴とする請求項１８に記載の撮影装置。
【請求項２０】
上記一意に特定可能とは、複数の無線情報を取得した場合であって最も信号強度の強い無線情報を特定可能であることを特徴とする請求項１８に記載の撮影装置。
【請求項２１】
上記無線情報が一意に特定可能でないと判断された場合に、上記撮像処理に移行せず、警告或いはアドバイスを行う手段を備えたことを特徴とする請求項１８に記載の撮影装置。
【請求項２２】
上記情報取得手段は無線タグディテクタであり、該撮影装置が撮影方向に向いた状態で十分な感度を保つ位置に配置装着されることを特徴とする請求項１に記載の撮影装置。
【請求項２３】
上記無線タグディテクタの装置装着状態における指向性方向が該撮影装置が撮影方向と略同一であることを特徴とする請求項２２に記載の撮影装置。
【請求項２４】
上記無線情報登録撮影モードが選択された場合に、マクロ撮影モードに自動的に切り替えることを特徴とする請求項７に記載の撮影装置。
【請求項２５】
被写体に装着された、所定の情報を記憶するとともに前記所定の情報を無線情報として送信する情報送信手段からの無線情報を取得する情報取得手段を備えた撮影装置の撮影方法であって、
上記被写体の撮影と上記情報取得手段による無線情報の取得の両方を、共通の操作部の操作に基づき行うことを特徴とする撮影方法。
【請求項２６】
被写体に装着された、所定の情報を記憶するとともに前記所定の情報を無線情報として送信する情報送信手段からの無線情報を取得する情報取得手段を備えた撮影装置の撮影方法であって、
上記被写体の撮影により得られる画像情報と上記情報取得手段による無線情報の両方を共通の操作部材の操作に基づき取得し、画像情報と無線情報とを対にして記憶することを特徴とする撮影方法。
【請求項２７】
被写体を撮影する撮影手段を備えた撮影装置の撮影方法であって、
上記被写体の撮影と、上記被写体に装着された、所定の情報を記憶するとともに前記所定の情報を無線情報として送信する情報送信手段からの無線情報の取得の両方を、共通の操作部の操作に基づき行うことを特徴とする撮影方法。
【請求項２８】
被写体を撮影する撮影手段を備えた撮影装置の撮影方法であって、
上記被写体の撮影により得られる画像情報と、上記被写体に装着された、所定の情報を記憶するとともに前記所定の情報を無線情報として送信する情報送信手段からの無線情報の両方を共通の操作部材の操作に基づき取得し、画像情報と無線情報とを対にして記憶することを特徴とする撮影方法。
【請求項２９】
被写体に装着された無線タグの無線タグ情報を取得する情報取得手段を備えた撮影装置を用いた撮影方法であって、
上記被写体の撮影と上記タグ情報取得手順による無線タグ情報の取得の両方を一連の動作で行うことを特徴とする撮影方法。
【請求項３０】
被写体に装着された、所定の情報を記憶するとともに前記所定の情報を無線情報として送信する情報送信手段からの無線情報を取得する情報取得手段を備えた撮影装置を制御するプログラムであって、
上記被写体の撮影と上記情報取得手段による無線情報の取得の両方を、共通の操作部の操作に基づき行えるようにしたことを特徴とするプログラム。
【請求項３１】
被写体に装着された、所定の情報を記憶するとともに前記所定の情報を無線情報として送信する情報送信手段からの無線情報を取得する情報取得手段を備えた撮影装置を制御するプログラムであって、
上記被写体の撮影により得られる画像情報と上記情報取得手段による無線情報の両方を共通の操作部材の操作に基づき取得し、画像情報と無線情報とを対にして記憶することを特徴とするプログラム。
【請求項３２】
被写体を撮影する撮影手段を備えた撮影装置を制御するプログラムであって、
上記被写体の撮影と、上記被写体に装着された、所定の情報を記憶するとともに前記所定の情報を無線情報として送信する情報送信手段からの無線情報の取得の両方を、共通の操作部の操作に基づき行うことを特徴とするプログラム。
【請求項３３】
被写体を撮影する撮影手段を備えた撮影装置を制御するためのプログラムであって、
上記被写体の撮影により得られる画像情報と、上記被写体に装着された、所定の情報を記憶するとともに前記所定の情報を無線情報として送信する情報送信手段からの無線情報の両方を共通の操作部の操作に基づき取得し、画像情報と無線情報とを対にして記憶することを特徴とするプログラム。
【請求項３４】
被写体に装着された無線タグの無線タグ情報を取得する情報取得手段を備えた撮影装置を制御するためのプログラムであって、
上記被写体の撮影と上記タグ情報取得手順による無線タグ情報の取得の両方を一連の動作で行うことを特徴とするプログラム。
【請求項３５】
請求項３０〜３４のいずれか１項に記載のプログラムを格納したことを特徴とするコンピュータ読み取り可能な記憶媒体。
【請求項３６】
被写体像を結像するための撮影光学系と、
前記撮影光学系を介した像を撮像する撮像手段と、
前記撮像手段の撮像方向に存在する無線タグを検出する指向性を持つ無線タグ検出装置とを有することを特徴とする撮影装置。
【請求項３７】
前記撮影装置の撮像動作と前記無線タグ検出装置の検出動作とを連動して制御する制御手段を有することを特徴とする請求項３６に記載の撮影装置。
【請求項３８】
前記連動制御はほぼ同時または所定の順序で行われることを特徴とする請求項３７に記載の撮影装置。
【請求項３９】
前記所定の順序は無線タグ検出装置の検出動作に続いて前記撮影装置の撮像動作を行わせるものであることを特徴とする請求項３６に記載の撮影装置。
【請求項４０】
前記所定の順序は前記撮影装置の撮像動作に続いて前記無線タグ検出装置の検出動作を行わせるものであることを特徴とする請求項３６に記載の撮影装置。
【請求項４１】
更に前記撮像手段により撮像された画像と前記無線タグ検出装置の検出結果とを関連付けて記憶する記憶手段を有することを特徴とする請求項３６に記載の撮影装置。
【請求項４２】
前記無線タグ検出装置の検出結果は無線タグＩＤ情報、画像へのポインタ、画像サイズ（縦横サイズ、バイト数）、画像に対してユニークに付与される画像ＩＤ、日付のうちの少なくとも１つを含むことを特徴とする請求項４１に記載の撮影装置。
【請求項４３】
前記無線タグ検出装置の検出部は撮影装置の前記撮影光学系の近傍であって前記撮影装置の同じ面側に配置されていることを特徴とする請求項３６に記載の撮影装置。
【請求項４４】
被写体像を結像するための撮影光学系と、
前記撮影光学系を介した像を撮像する撮像手段と、
無線タグを検出する無線タグ検出装置と、
前記撮像手段の撮像動作を行わせるための操作部材の操作に伴って、前記無線タグ検出装置による検出結果を表示する表示手段とを有することを特徴とする撮影装置。
【請求項４５】
前記検出結果に応じて前記撮像動作を行わせないように制御する制御手段を有することを特徴とする請求項４４に記載の撮影装置。
【請求項４６】
被写体像を結像するための撮影光学系と、
前記撮影光学系を介した像を撮像する撮像手段と、
無線タグを検出する無線タグ検出装置と、
前記無線タグ検出装置により無線タグが検出された場合に前記撮像手段の撮像動作を行わせる制御手段とを有することを特徴とする撮影装置。
【発明の詳細な説明】
【０００１】
【発明の属する技術分野】
本発明は、被写体の撮影と無線タグ情報の取得を行うことのできる撮影装置、方法、プログラム、及びコンピュータ読み取り可能な記憶媒体に関する。
【０００２】
【従来の技術】
従来から、無線タグを物品に装着しておき、タグＩＤをディテクタで読み取る商品管理がある（例えば、特許文献１参照）。
【０００３】
【特許文献１】
特開平１０−１９８７３１号公報
【０００４】
【発明が解決しようとする課題】
しかしながら、上記の従来技術では無線タグＩＤをデータベース化して管理することは記載されているが、画像情報と組み合わせることによって、更に機能をアップすることについては考慮されておらず、しかも画像情報のような付帯情報をタグＩＤとどのようにして簡便に取得したり登録したりするかについて何ら考慮されていない。
【０００５】
本発明は、被写体の撮影と無線タグ情報の取得を簡便に実現可能とすること等を目的とする。
【０００６】
【課題を解決するための手段】
以下、課題を解決するための手段として、本発明による撮影装置について説明すると、本発明の撮影装置は、被写体に装着された、所定の情報を記憶するとともに上記所定の情報を無線情報として送信する情報送信手段からの無線情報を取得する情報取得手段を備え、上記被写体の撮影と上記情報取得手段による無線情報の取得の両方を、共通の操作部の操作に基づき行うことを特徴とする。
【０００７】
また、本発明の他の撮影装置は、被写体に装着された、所定の情報を記憶するとともに前記所定の情報を無線情報として送信する情報送信手段からの無線情報を取得する情報取得手段を備え、上記被写体の撮影により得られる画像情報と上記情報取得手段による無線情報の両方を共通の操作部材の操作に基づき取得し、画像情報と無線情報とを対にして記憶することを特徴とする。
【０００８】
また、本発明の他の撮影装置は、被写体を撮影する撮影手段を備え、上記被写体の撮影と、上記被写体に装着された、所定の情報を記憶するとともに前記所定の情報を無線情報として送信する情報送信手段からの無線情報の取得の両方を、共通の操作部の操作に基づき行うことを特徴とする。
【０００９】
また、本発明の他の撮影装置は、被写体を撮影する撮影手段を備え、上記被写体の撮影により得られる画像情報と、上記被写体に装着された、所定の情報を記憶するとともに前記所定の情報を無線情報として送信する情報送信手段からの無線情報の両方を共通の操作部材の操作に基づき取得し、画像情報と無線情報とを対にして記憶することを特徴とする。
【００１０】
また、本発明の他の撮影装置は、被写体に装着された、所定の情報を記憶するとともに前記所定の情報を無線情報として送信する情報送信手段からの無線情報の取得と、前記被写体の撮影との両方を共通の操作部材の操作に基づき行う取得手段を有することを特徴とする。
【００１１】
また、本発明の他の撮影装置は、被写体像を結像するための撮影光学系と、前記撮影光学系を介した像を撮像する撮像手段と、前記撮像手段の撮像方向に存在する無線タグを検出する指向性を持つ無線タグ検出装置とを有することを特徴とする。
【００１２】
また、本発明の他の撮影装置は、被写体像を結像するための撮影光学系と、前記撮影光学系を介した像を撮像する撮像手段と、無線タグを検出する無線タグ検出装置と、前記撮像手段の撮像動作を行わせるための操作部材の操作に伴って、前記無線タグ検出装置による検出結果を表示する表示手段とを有することを特徴とする。
【００１３】
また、本発明の他の撮影装置は、被写体像を結像するための撮影光学系と、前記撮影光学系を介した像を撮像する撮像手段と、無線タグを検出する無線タグ検出装置と、前記無線タグ検出装置により無線タグが検出された場合に前記撮像手段の撮像動作を行わせる制御手段とを有することを特徴とする。
【００１４】
【発明の実施の形態】
以下、図面を参照して、本発明の好適な実施の形態について説明する。
【００１５】
（第１の実施の形態）
図１（ａ）には、本実施の形態の撮影装置１０１を示す。撮影装置１０１としては、デジタルカメラやカメラ付き携帯電話端末、ビデオカメラなどの撮影機能を有する機器が相当する。同図において、１０２は被写体、１０３は被写体１０２に装着された所定の情報を記憶するとともに所定の情報を無線情報として送信する情報送信手段である無線タグ、１０４は被写体１０２を撮影するための撮影光学系としてのレンズ、１０５は無線タグ情報（タグＩＤ）を取得するための情報取得手段（無線タグ検出装置）である無線タグディテクタである。本実施の形態では、取得手段である撮影ユニット及び情報取得手段を別々に有するものを説明したが、例えば、撮影ユニット及び情報取得手段を一体化しても良い。
【００１６】
ここで、無線タグ情報とは、例を挙げれば物や場所などの特定が可能な一意なＩＤ情報である。近年、無線タグの具体例として、ミューチップと呼ばれる極小のシリコンチップで個体固有の番号情報等を記憶し、外部から電波を与えその誘導起電力により電力を得て個体固有の番号情報等を無線で受信可能とするデバイスが発表されている。ただし、この種の機能を実現可能な無線タグであれば特に限定されるものではない。
【００１７】
無線タグ情報登録撮影モードを可能とする場合には、撮影前に予め被写体１０２に無線タグを装着しておく。その装着方法としては、電波の発信を阻害しない位置にシールで貼着する或いは塗料に混ぜて塗布するなど様々な方法が存在する他にも、被写体内部に無線タグが内蔵されていたり、被写体の一部に無線タグが添付あるいは付加されていたりするもの、或いは被写体の上に載置されているもの等を含むが、本発明はこれらの装着方法に特に限定されるものではない。
【００１８】
被写体１０２の撮影と無線タグ情報の取得の両方を一連の動作で行うのに適するように、撮影とタグ情報受信のために撮影装置１０１の姿勢を変えないで済むよう、被写体１０２に撮影光学系としてのレンズ１０４を向けた姿勢で、無線タグからの電波を十分な感度及び又は指向性を保つ位置（本実施形態ではレンズ１０４の近傍の撮影装置の面であって、レンズ１０４と同じ面側の位置）に無線タグディテクタ１０５を配置する。もちろん、撮影装置１０１の背面に無線タグディテクタ１０５が在ったとしても、指向性方向がレンズ１０４の撮影方向と同一或いは凡そ同一で且つ十分な感度が保たれる場合にはこれでも良い。
【００１９】
また、図１（ｂ）に示すように、複数の無線タグ１０３、１０６、１０７が存在する場合、ターゲット外の無線タグからの同時受信を避けるために、無線タグディテクタ１０５の検出部は所定角度の指向性を有し且つレンズ１０４の撮影方向と指向性方向が同一或いは凡そ同一であることが好ましい。
【００２０】
また、通常小物の撮影に用いられるマクロ撮影は２０ｃｍから４０ｃｍ程度の距離で行われるが、光学系光軸上でレンズから２０ｃｍから４０ｃｍ程度の距離の位置に無線タグディテクタ２０２の指向性の軸が交差するような配置でも良い。
【００２１】
図１（ｂ）の例では、ターゲットとなる無線タグディテクタ１０５から出ている楕円（図中の点線）の大きさが指向性感度を表すが、無線タグ１０３が光学系光軸上で且つ無線タグの最大指向性方向との交点に存在するケースで、非ターゲットである無線タグ１０６、１０７からの電波に対する感度は小さく、これら無線タグ１０６、１０７からの影響は少なくなっている。
【００２２】
図２は撮影装置１０１の構成を示すブロック図であり、１０４は撮影光学系、２はＣＣＤ撮像素子、ＣＭＯＳ撮像素子等の撮像手段としての撮像素子、３は撮像素子出力をＡＤ変換しガンマ変換や色変換処理を行う信号処理回路、４は信号処理回路を介した信号を半導体メモリ等の着脱可能な記録媒体５の記録に適した信号に変換するための記録インターフェース回路である。１０５は無線タグ検出装置、７はシャッタレリーズ１等を含む操作部、８は撮影装置の制御プログラムを記憶するためのＲＡＭやＥＥＰＲＯＭ、９は画像表示や警告表示を行うための表示部、１０は撮影装置内の各回路を制御するための制御回路であり、ＣＰＵを内蔵している。
【００２３】
次に、図３のフローチャートを参照して、撮影装置１０１にて実行される処理について説明する。ステップＳ２０１では、ユーザにより選択されるモードが通常撮影モードであるか無線タグ情報登録撮影モードであるかを判断する。モードの選択は、撮影モードにした状態で更に撮影モード用スイッチとは別のスイッチで切り替える方式でも良いし、通常のカメラのオート、マニュアル等の回転式撮影モード選択スイッチ自体の選択肢に通常撮影モードと無線タグ情報登録撮影モードとが分かれている方式でも良い。
【００２４】
上記ステップＳ２０１において通常撮影モードが選択された場合、ステップＳ２０２で無線タグ関連の処理は行わず撮影処理を行い、画像データ及び自動的に得られる日付などのメタデータを記憶する。すなわち、通常撮影モードの場合には無線タグディテクタの機能は無関係となり、通常の撮影と変わらないため、その詳しい説明は割愛する。
【００２５】
それに対して、上記ステップＳ２０１において無線タグ情報登録撮影モードが選択された場合、ステップＳ２０３に移って、撮像系をマクロ撮影モードに自動的に切り替える。無線タグを装着する被写体は撮影装置１０１の近傍にあると考えられるので、このように自動的に例えばマクロ撮影モードや近距離撮影モード（焦点距離の設定を無線タグディテクタの検出可能距離に対応した近距離にあわせたモード）に切り替えるようにすれば、ユーザの負担を軽減させることができる。
【００２６】
次にステップＳ２０４で被写体を撮像系で捕らえて撮影ボタン（シャッタボタン）が半押しされたことを検知すると、ステップＳ２０５で無線タグディテクタ１０５が無線タグを励起する電波を発する。その起電力により無線タグは無線タグ情報を発信する。
【００２７】
ステップＳ２０６では、無線タグからの応答があるかどうかを判断する。無線タグからの応答があった場合、ステップＳ２０７に移って、唯一の無線タグ情報をディテクトした場合であるか、或いは、複数の無線タグ情報をディテクトした場合であって、最も信号強度の強い無線タグＩＤ信号の強さが２番目に強い無線タグ情報信号の強さに対し事前に定めた差以上、或いは、事前に定めた倍率以上の強さであり、最も信号強度の強い無線タグ情報を決定することができる場合、無線タグＩＤを一意に決定できたとし、無線タグをサーチするための通信が成功したとする。或いは、同時に複数の無線タグが検出された場合であってもこれらが例えば同じグループに属する無線タグである場合には、通信が成功したとしても良い。
【００２８】
上記ステップＳ２０７において無線タグをサーチするための通信が成功したとされたならば、ステップＳ２０８に移って、撮影ＯＫのステータスが例えばファインダー内部／本体の緑のランプ表示、更に或いは液晶表示部に表示され、或いは音声で警告メッセージを出す。なお、ここで、先に無線タグとの通信成功を先に確認するのは、撮像の失敗率に対して、無線タグとの通信の失敗率の方が高いため、無駄な撮像を減らすためである。しかし、用途によっては先に撮像動作を行い、続いて無線タグの検出動作を行うように構成してもよく、本発明の実施形態はそのようなものも含む。
【００２９】
次にステップＳ２０９で撮影ボタンが半押し状態から押し切られると、ステップＳ２１０で撮像処理を行い、ステップＳ２１１で無線タグ情報と撮影した画像情報を対とするような情報形態として（例えば相互にリンクさせたり、或いは共通の記憶領域に記憶したりするなど、関連付けを行って）記憶する。なお、ある一定時間以内に撮影ボタンが押し切られない場合には、状況の変化も考えられるため、再びステップＳ２０４に戻って、無線タグ情報発信のサーチ処理の再処理を行う。
【００３０】
このように、撮影ボタンの半押し状態で上記処理を行うことにより、ユーザは無線タグ情報の検出状態を把握しながら、その成否に応じた対処が可能となり、無駄な撮像動作を減らすことができる。
【００３１】
ここで、対として記憶する情報スキーマとしては、例えば図４に示すようなデータベースＤＢがある。ＤＢレコードは無線タグＩＤ情報、画像へのポインタの他、画像サイズ（縦横サイズ、バイト数）、画像に対してユニークに付与される画像ＩＤ、日付などの自動取得可能なメタデータが記憶されている。画像へのポインタは画像格納先のアドレスやファイルとしてのパス情報もあり、更に画像へのポインタではなく画像データ自身を記憶するスキーマでも構わない。
【００３２】
ところで、上記ステップＳ２０６において無線タグ情報の取得が失敗である場合は、ステップＳ２１２に移って、画面表示、音或いは光で警告を行う。その警告内容は、無線タグ情報情報が検出できない或いは無線タグ情報源が複数あるなどであるが、ユーザフレンドリーな方法としては、無線タグ情報検出ができない場合には、無線タグ検出のコンディションを整えて再撮影するように画面表示や音或いは光で警告を行うようにすればよい。
【００３３】
また、上記ステップＳ２０７において無線タグをサーチするための通信は成功したものの複数のタグが検出され１つが特定できない場合には、ステップＳ２１３に移って、被写体を他の無線タグの影響が少ないところに移動する或いは撮影装置１０１を接近させて無線タグの受信信号を強くさせるようなアドバイスを行い、適正な撮影に導き再び半押しで通信が成功すれば撮像処理を、失敗すればアドバイスを行う処理を再帰的に行うことも可能である。
【００３４】
もちろん、ユーザフレンドリーでは無いが、ステップＳ２１２、Ｓ２１３において何ら警告を行わないで撮影ボタンを切れないようにする方法もある。
【００３５】
以上述べたように被写体に装着した被写体の撮影と無線タグ情報情報の取得の両方を簡便な一連の動作で行うことが可能である。なお、上記の例では、無線タグ情報の取得成功後に続いて撮像動作を行っているが、ほぼ同時に（ほぼ並行して）行うようにしても良いことは言うまでもない。
【００３６】
（第２の実施の形態）
上記第１の実施の形態では、シャッタボタンの半押し状態で無線タグＩＤ取得のステータス情報を得てシャッタボタンを押し切る例を挙げたが、本実施の形態は、シャッタボタンの半押し状態で無線タグＩＤ取得のステータスを出さず、シャッタボタンを押し切った時点（全押し）から無線タグ情報発信のサーチ以降の処理を行う例である。
【００３７】
以下、図５のフローチャートを参照して、撮影装置１０１にて実行される処理について説明する。なお、ステップＳ３０１〜Ｓ３０３の処理は、図３におけるフローチャートのステップＳ２０１〜Ｓ２０３の処理と同一なので、その説明を割愛する。
【００３８】
ステップＳ３０４で撮影ボタン（シャッタボタン）が押されたことを検知すると、ステップＳ３０５で無線タグディテクタ１０５が無線タグを励起する電波を発する。その起電力により無線タグは無線タグ情報を発信する。
【００３９】
ステップＳ３０６では、無線タグからの応答があるかどうかを判断する。無線タグからの応答があった場合、ステップＳ３０７に移って、唯一の無線タグ情報をディテクトした場合であるか、或いは、複数の無線タグ情報をディテクトした場合であって、最も信号強度の強い無線タグＩＤ信号の強さが２番目に強い無線タグ情報信号の強さに対し事前に定めた差以上、或いは、事前に定めた倍率以上の強さであり、最も信号強度の強い無線タグ情報を決定することができる場合、無線タグＩＤを一意に決定できたとし、無線タグをサーチするための通信が成功したとする。勿論この場合に、前述したように、複数のタグが同時に検出された場合であってもそれが予め定めた例えば同じグループのタグであることがわかった場合には通信が成功したという判断をしてもよい。
【００４０】
上記ステップＳ３０７において無線タグをサーチするための通信が成功したとされたならば、ステップＳ３０８に移って直ちに撮像処理を行い、ステップＳ３０９で無線タグ情報と撮影した画像情報を対とするような情報形態として記憶することにより、被写体の撮影と無線タグ情報の取得の両方を一連の動作で行うことができる。
【００４１】
ところで、上記ステップＳ３０６において無線タグ情報の取得が失敗である場合、ステップＳ３１０に移って、画面表示、音或いは光で無線タグ情報が検出できないと警告を行う。
【００４２】
また、上記ステップＳ３０７において無線タグをサーチするための通信が成功したものの、複数のタグが検出され特定できないとされたならば、ステップＳ３１１に移って、無線タグが複数あるなどの警告を画面表示や音或いは光を用いて行う。
【００４３】
またユーザフレンドリーな方法としては、上記ステップＳ３１０においては無線タグ検出のコンディションを整えて最撮影するように画面表示や音或いは光で警告を行い、上記ステップＳ３１１においては被写体を他の無線タグの影響が少ないところに移動する或いは撮影装置を接近させて無線タグの受信信号を強くさせるようなアドバイスを行うことも可能である。
【００４４】
もちろん、ユーザフレンドリーでは無いが、ステップＳ３１０、Ｓ３１１において警告を行わないでシャッタを切れないようにする方法もある。
【００４５】
（第３の実施の形態）
上記第１、２の実施の形態では、シャッタボタンの状態により無線タグ励起電波を送出する例を挙げたが、本実施の形態は、無線タグ情報登録撮影モードとなったならば無線タグ励起電波を送出する例である。
【００４６】
以下、図６のフローチャートを参照して、撮影装置１０１にて実行される処理について説明する。なお、ステップＳ４０１〜Ｓ４０３の処理は、図３におけるフローチャートのステップＳ２０１〜Ｓ２０３の処理と同一なので、その説明を割愛する。
【００４７】
ステップＳ４０４で無線タグディテクタ１０５が無線タグを励起する電波を発する。その起電力により無線タグは無線タグ情報を発信する。
【００４８】
ステップＳ４０５では、無線タグからの応答があるかどうかを判断する。無線タグからの応答があった場合、ステップＳ４０６に移って、唯一の無線タグ情報をディテクトした場合であるか、或いは、複数の無線タグ情報をディテクトした場合であって、最も信号強度の強い無線タグＩＤ信号の強さが２番目に強い無線タグ情報信号の強さに対し事前に定めた差以上、或いは、事前に定めた倍率以上の強さであり、最も信号強度の強い無線タグ情報を決定することができる場合、無線タグＩＤを一意に決定できたとし、無線タグをサーチするための通信が成功したとする。複数のタグが検出されても予め定めた特定グループのタグであれば複数検出されても通信成功と判断してもよい。
【００４９】
上記ステップＳ４０６において無線タグをサーチするための通信が成功したとされたならば、ステップＳ４０７に移って、撮影ＯＫのステータスが例えばファインダー内部／本体の緑のランプ表示、更に或いは液晶表示部に表示され、或いは音声で警告メッセージを出す。
【００５０】
ステップＳ４０８で撮影ボタン（シャッタボタン）が押されたことを検知すると、ステップＳ４０９で撮像処理を行い、ステップＳ４１０で無線タグ情報と撮影した画像情報を対とするような情報形態として記憶する。なお、ステップＳ４０８で直ちに撮影ボタン（シャッタボタン）が押されない場合には、状況の変化も考えられるため、再びステップＳ４０４に戻って、無線タグ情報発信のサーチ処理の再処理を行う。
【００５１】
このように、ユーザは無線タグ情報の検出状態を把握しながら、その成否に応じた対処が可能となる。
【００５２】
ところで、上記ステップＳ４０５において無線タグ情報の取得が失敗である場合は、ステップＳ４１１に移って、画面表示、音或いは光で警告を行う。その警告内容は、無線タグ情報情報が検出できない或いは無線タグ情報源が複数あるなどであるが、ユーザフレンドリーな方法としては、無線タグ情報検出ができない場合には、無線タグ検出のコンディションを整えて最撮影するように画面表示や音或いは光で警告を行うようにすればよい。
【００５３】
また、上記ステップＳ４０６において無線タグをサーチするための通信が成功したものの複数タグが検出され一意に特定できないとされたならば、ステップＳ４１２に移って、被写体を他の無線タグの影響が少ないところに移動する或いは撮影装置１０１を接近させて無線タグの受信信号を強くさせるようなアドバイスを行い、適正な撮影に導き再び半押しで通信が成功すれば撮像処理を、失敗すればアドバイスを行う処理を再帰的に行うことも可能である。
【００５４】
もちろん、ユーザフレンドリーでは無いが、ステップＳ４１１、Ｓ４１２において何ら警告を行わないで撮影ボタンを切れないようにする方法もある。
【００５５】
以上述べたように被写体に装着した被写体の撮影と無線タグ情報の取得の両方を簡便な一連の動作で行うことが可能である。
【００５６】
なお、本実施の形態においては、ステップＳ４０４で無線タグ励起電波を送出するようにしたが、そのタイミングとして、電力を消費するものの、無線タグ情報登録撮影モードとした時点（ステップＳ４０１）から励起電波を送出し続けるようにしてもよい。
【００５７】
（第４の実施の形態）
上記第１〜３の実施の形態では、無線タグが独立電源を内部に持たず、電力を励起する電波を必要とする例を説明したが、本実施の形態は、無線タグ自身が内蔵電源を持ち、無線タグ情報を発信する例を説明する。この場合には無線タグの内蔵電源の消費電力を抑えるために、無線タグに触れることにより、或いは無線タグが低消費電力モードで外部からの指示を受信待ちをするように構成しておき、外部からの指示を受信したときに、無線タグへ一定時間以内或いは一定回数の通信、更に或いは一定時間以内且つ一定回数の通信を行う指示を与えることにより無線タグに無線タグ情報を発信させ、無線タグをサーチするための通信を行う。
【００５８】
図７に、一定時間以内且つ一定回数の通信を行う無線タグにて実行される処理について示す。ステップＳ５０１において無線タグに触れる或いは指示を受信するなどして無線タグの電源をオンにし、ステップＳ５０２では無線タグ動作時間ｔ及び無線タグオフ命令受信回数ｎを零リセットする。
【００５９】
ステップＳ５０３で無線タグ動作時間ｔを計測し、ステップＳ５０４では無線タグ動作時間ｔが予め定められた動作時間閾値Ｔ以下かどうかを判断する。動作時間閾値Ｔを超えると、ステップＳ５０９に移って、無線タグの電源をオフにする。
【００６０】
無線タグ動作時間ｔが動作時間閾値Ｔ以下であれば、ステップＳ５０５に移って、電源オフの指令が通信されたかを判断する。上記ステップＳ５０５において電源オフの指令が通信されていなければ、ステップＳ５０６で無線タグＩＤ信号を送出し、再びステップＳ５０４の処理に戻る。上記ステップＳ５０５において電源オフの指令が通信されていれば、ステップＳ５０７で無線タグオフ命令受信回数ｎを１インクリメントし、ステップＳ５０８で無線タグオフ命令受信回数閾値Ｎと比較を行う。無線タグオフ命令受信回数ｎがＮ未満であれば、ステップＳ５０６で無線タグＩＤ信号を送出し、Ｎ以上であれば、ステップＳ５０９で無線タグの電源をオフにする。
【００６１】
なお、ここでは、一定時間以内且つ一定回数の通信を行う例を説明したが、一定時間以内或いは一定回数の通信としてもかまわない。
【００６２】
図８は、上記第１の実施の形態で述べた例において、無線タグ自身が内蔵電源を持ち、無線タグ情報を発信するようにした場合の処理を示すフローチャートである。なお、図３のフローチャートで説明した処理と同じ処理には同一の符号を付し、その詳細な説明は割愛する。
【００６３】
この場合、ステップＳ２０４の前に、無線タグを触れることにより無線タグの電源をオンにする処理（ステップＳ２１４）を追加し、無線タグ励起電波送出処理（ステップＳ２０５）をなくす。また、ステップＳ２１１の後に、無線タグの電源をオフする命令を送信する処理（ステップＳ２１５）を追加したものとなる。
【００６４】
このように撮影装置１０１において図８のフローチャートに示す処理を行い、無線タグ側において図７のフローチャートに示す処理を行うことで、無線タグの内蔵電源の消費電力を抑えた実施が可能となる。
【００６５】
同様に、図９は、上記第２の実施の形態で述べた例において、無線タグ自身が内蔵電源を持ち、無線タグ情報を発信するようにした場合の処理を示すフローチャートである。なお、図５のフローチャートで説明した処理と同じ処理には同一の符号を付し、その詳細な説明は割愛する。
【００６６】
この場合、ステップＳ３０４の前に、無線タグを触れることにより無線タグの電源をオンにする処理（ステップＳ３１２）を追加し、無線タグ励起電波送出処理（ステップＳ３０５）をなくす。また、ステップＳ３０９の後に、無線タグの電源をオフする命令を送信する処理（ステップＳ３１３）を追加したものとなる。
【００６７】
このように撮影装置１０１において図９のフローチャートに示す処理を行い、無線タグ側において図７のフローチャートに示す処理を行うことで、無線タグの内蔵電源の消費電力を抑えた実施が可能となる。
【００６８】
なお、無線タグの電源を手動で入れる処理を行うタイミングに関して、図８、９に示したものに限るものではなく、シャッタボタンの半押し或いはシャッタボタンを押し切ったことを検出する処理より前であれば良い。
【００６９】
同様に、図１０は、上記第３の実施の形態で述べた例において、無線タグ自身が内蔵電源を持ち、無線タグ情報を発信するようにした場合の処理を示すフローチャートである。なお、図６のフローチャートで説明した処理と同じ処理には同一の符号を付し、その詳細な説明は割愛する。
【００７０】
この場合、ステップＳ４０５の前に、無線タグを触れることにより無線タグの電源をオンにする処理（ステップＳ４１３）を追加し、無線タグ励起電波送出処理（ステップＳ４０４）をなくす。また、ステップＳ４１０の後に、無線タグの電源をオフする命令を送信する処理（ステップＳ４１４）を追加したものとなる。
【００７１】
このように撮影装置１０１において図１０のフローチャートに示す処理を行い、無線タグ側において図７のフローチャートに示す処理を行うことで、無線タグの内蔵電源の消費電力を抑えた実施が可能となる。
【００７２】
なお、上各記実施の形態においては、ユーザがモードを手動で選択する方法で無線タグ情報登録撮影モードに切り替える例を挙げたが、当然、撮影のために被写体を撮像系で捕らえ撮影ボタンを半押しした段階で無線タグをサーチしたときに、無線タグをサーチするための通信が成功したら、自動的に無線タグ情報登録撮影モードにし、成功しなければ通常撮影モードとすることで実現することも可能である。
【００７３】
以上述べたように無線タグディテクタ１０５を撮影装置１０１に備え、撮影と無線タグのディテクトの両方を同時に効率良く行うことができる。本装置１０１を被写体に近づけタグＩＤをディテクトするとほぼ同時に被写体の映像を撮影し、タグＩＤと映像情報を対で管理することが可能となり、しかも撮影直前に無線タグの検出の有無により無線タグ情報が取得できないで画像だけを撮影するようなミスや無駄な撮影を未然に防ぐことが可能となる。
【００７４】
また、無線タグＩＤと撮影画像を対として記憶するメリットには、無線タグＩＤは人にとって無意味な記号列であり記憶しにくいものの、画像は人の記憶に残り易い。従って、無線タグＩＤと対を成す撮影画像を無線タグＩＤを表すシンボル、即ちアイコンとして活用すると、無線タグＩＤを指定するＵＩ、ＧＵＩとして多大なメリットがある。
【００７５】
上記の第１〜４の実施の形態では、一つの撮影装置に無線タグディテクタと撮影ユニットを設ける構成にしたが、無線タグディテクタを有する装置と、撮影ユニットを持った装置とが別々で、各々が通信可能な機能を持たせ、撮影ユニットを持った装置の操作部を動作させることにより、撮影ユニットによる被写体の撮影と、無線タグディテクタによる無線タグＩＤの受信も行うようにする構成であっても良い。また、その通信機能を用い、撮影ユニットを持った装置または外部のメモリ装置に無線タグＩＤと撮影画像を対にして記憶するようにしても良い。さらに、また、無線タグディテクタを持った装置側の操作部を操作することにより、撮影ユニットによる被写体の撮影と、無線タグディテクタによる無線タグＩＤの受信も行うようにする構成であっても良い。さらに、また、その通信機能を用い、無線タグユニットを持った装置または外部のメモリ装置に無線タグＩＤと撮影画像を対にして記憶するようにしても良い。
【００７６】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００７７】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００７８】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７９】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００８０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００８１】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００８２】
【発明の効果】
以上述べたように本発明によれば、被写体の撮影と無線タグ情報の取得を簡便に実現することができる。
【図面の簡単な説明】
【図１】実施の形態の撮影装置１０１を示す図である。
【図２】撮影装置の構成を示すブロック図である。
【図３】第１の実施の形態において撮影装置１０１にて実行される処理を示すフローチャートである。
【図４】無線タグ情報と撮影した画像情報を対として記憶する情報スキーマの一例を示す図である。
【図５】第２の実施の形態において撮影装置１０１にて実行される処理を示すフローチャートである。
【図６】第３の実施の形態において撮影装置１０１にて実行される処理を示すフローチャートである。
【図７】第４の実施の形態において無線タグにて実行される処理を示すフローチャートである。
【図８】第４の実施の形態において撮影装置１０１にて実行される処理の例を示すフローチャートである。
【図９】第４の実施の形態において撮影装置１０１にて実行される処理の例を示すフローチャートである。
【図１０】第４の実施の形態において撮影装置１０１にて実行される処理の例を示すフローチャートである。
【符号の説明】
１０１    撮影装置
１０２    被写体
１０３    無線タグ
１０４    レンズ
１０５    無線タグディテクタ
【図１】
2004253915.tif 000003
【図２】
2004253915.tif 000004
【図３】
2004253915.tif 000005
【図４】
2004253915.tif 000006
【図５】
2004253915.tif 000007
【図６】
2004253915.tif 000008
【図７】
2004253915.tif 000009
【図８】
2004253915.tif 000010
【図９】
2004253915.tif 000011
【図１０】
2004253915.tif 000012